(57)【要約】      （修正有）【課題】施工性の低下を招くことなく、断熱材から建物の躯体側へ白アリが侵入する可能性を、少なくとも断熱材が取り付けられていない場合と同じ程度にまで低減することができる断熱基礎構造を提供する。【解決手段】断熱基礎構造は、コンクリート製の外周基礎１３の立ち上がり部１５と、立ち上がり部１５の内側面１５ｂに沿って設けられ、上端面２１ａを立ち上がり部１５の上端面１５ａと一致させた状態で設置されると共に、防蟻性を有するパネル状の断熱材２１と、立ち上がり部１５の上端面１５ａと断熱材２１の上端面２１ａとに亘って貼着され、立ち上がり部１５と断熱材２１との間の隙間Ｓａによる蟻道を塞ぐ防蟻シートＴ１と、を備えている。【選択図】図２
2015083758.tif 000002
【特許請求の範囲】
【請求項１】
コンクリート製の基礎の立ち上がり部と、
前記立ち上がり部の内側面に沿って設けられ、上端面を前記立ち上がり部の上端面と一致させた状態で設置されると共に、防蟻性を有するパネル状の断熱材と、
前記立ち上がり部の上端面と前記断熱材の上端面とに亘って貼着され、前記立ち上がり部と前記断熱材との間の隙間による蟻道を塞ぐ防蟻シートと、を備えていることを特徴とする断熱基礎構造。
【請求項２】
前記立ち上がり部の上端部に換気口が凹設されており、
前記断熱材の前記換気口と対応する位置に凹部が形成され、前記凹部に沿って前記防蟻シートが貼着されていることを特徴とする請求項１に記載の断熱基礎構造。
【発明の詳細な説明】
【技術分野】
【０００１】
本発明は、住宅等の建物のコンクリート基礎に断熱材を取り付けてなる基礎構造に関し、特に、コンクリート基礎の内側の側面に断熱材を配置した基礎構造に関する。
【背景技術】
【０００２】
地面に最も近く、常に外気と湿気に晒されるのが床下である。この床下空間からの熱損失を防ぐ方法として基礎断熱が知られている。基礎断熱は、建物の外周に面した外周基礎の立ち上がり部に沿って断熱材を設置する工法である。
【０００３】
基礎断熱では、立ち上がり部に断熱材を付設することで外部と床下空間との熱的な縁を切り、その結果、外気の温度の影響を低減して床下空間内の温度状態を維持し、ひいては上部構造の特に一階床の冷えを抑制する。基礎断熱には、基礎の内側に断熱材を設置する工法（基礎内断熱）と、基礎の外側に断熱材を設置する工法（基礎外断熱）とがあるが、基礎内断熱の場合は、断熱材の仕上げ処理が不要である。
【０００４】
一方で、基礎内断熱の場合、外周基礎で囲まれた床下空間内に断熱材が設置されることになるため、白アリが断熱材の内部を通過して建物の躯体側へ侵入する可能性があり、何らかの処置が必要である。そこで、例えば、特許文献１に記載の構造では、白アリの分泌物に耐性のある耐腐食性材料からなるシート材で、白アリが通過する蟻道を被覆して白アリの侵入を阻止している。特に、特許文献１に記載の技術では、白アリが通過すると考えられる蟻道をできる限り塞ぐべく、断熱材の上面から断熱材の角部にかけて回り込むようにシート材を被覆することが好ましいとされている。
【先行技術文献】
【特許文献】
【０００５】
【特許文献１】特開２０００−１１０２６６号公報
【発明の概要】
【発明が解決しようとする課題】
【０００６】
基礎の内側に断熱材を設置することで、断熱材を設置しない場合に比べ、より多くの蟻道、特に、断熱材の内部を通る蟻道が形成される可能性がある。しかしながら、これらの断熱材内部から躯体内へ通ずる蟻道を全て塞ぐには、シート材の面積を断熱材の設置範囲に応じて非常に大きくする必要があり、他の施工の邪魔となるおそれがある。また、全ての蟻道を隙間なく覆う必要があり、丁寧な施工が必要となり、施工性が低下するおそれがある。
【０００７】
そこで、本発明は、上記課題を解決するためになされたものであり、施工性の低下を招くことなく、白アリが断熱材から建物の躯体側へ侵入する可能性を、少なくとも断熱材が取り付けられていない場合と同じ程度にまで低減できる断熱基礎構造を提供することを目的とする。
【課題を解決するための手段】
【０００８】
上記課題を解決するため、本発明に係る断熱基礎構造は、コンクリート製の基礎の立ち上がり部と、立ち上がり部の内側面に沿って設けられ、上端面を立ち上がり部の上端面と一致させた状態で設置されると共に、防蟻性を有するパネル状の断熱材と、立ち上がり部の上端面と断熱材の上端面とに亘って貼着され、立ち上がり部と断熱材との間の隙間による蟻道を塞ぐ防蟻シートと、を備えていることを特徴とする。
【０００９】
本発明では、断熱材が防蟻性を有しており、断熱材の内部を通って白アリが侵入する可能性を著しく低減できる。つまり、白アリによって形成される可能性のある断熱材の表面以外の蟻道は、基礎の立ち上がり部と断熱材との間の隙間に絞られる。更に、この蟻道を防蟻シートで塞ぐことにより、蟻道を通って建物の躯体側への白アリの侵入を効果的に抑えることができる。その結果、断熱材の広い範囲を防蟻シートで覆う必要は無くなり、施工性の低下を招くこともない。つまり、本発明によれば、施工性の低下を招くことなく、断熱材から建物の躯体側へ白アリが侵入する可能性を、少なくとも断熱材が取り付けられていない場合と同じ程度にまで低減できる。
【００１０】
また、立ち上がり部の上端部に換気口が凹設されており、断熱材の換気口と対応する位置に凹部が形成され、凹部に沿って防蟻シートが貼着されていてもよい。この場合、換気口と対応する位置に沿って凹状に防蟻シートが貼着されるので、凹部から建物の躯体側へ白アリが基礎と断熱材の隙間を通って侵入することを防止することができる。
【発明の効果】
【００１１】
本発明によれば、施工性の低下を招くことなく、断熱材から建物の躯体側へ白アリが侵入する可能性を、少なくとも断熱材が取り付けられていない場合と同じ程度にまで低減できる。
【図面の簡単な説明】
【００１２】
【図１】本発明の実施形態に係る断熱基礎構造における基礎の構成を説明するための平面図である。
【図２】本実施形態に係る断熱基礎構造を示す斜視図である。
【図３】図１におけるＩＩＩ-ＩＩＩ線に沿った断面構成を説明するための図である。
【図４】図１におけるＩＶ−ＩＶ線に沿った断面構成を説明するための図である。
【図５】図１の防蟻シートの周辺構造を説明するための平面図である。
【図６】本実施形態に係る断熱基礎構造の作用及び効果を説明する図である。
【発明を実施するための形態】
【００１３】
以下、添付図面を参照して、本発明の好適な実施形態について詳細に説明する。なお、説明において、同一要素又は同一機能を有する要素には、同一符号を用いることとし、重複する説明は省略する。
【００１４】
図１〜図４を参照して、本発明の第１実施形態に係る断熱基礎構造の構成を説明する。図１は、本実施形態に係る断熱基礎構造における基礎の構成を説明するための平面図である。図２は、本実施形態に係る断熱基礎構造を示す斜視図である。図３は、図１におけるＩＩＩ−ＩＩＩ線に沿った断面構成を説明するための図である。図４は、図１におけるＩＶ−ＩＶ線に沿った断面構成を説明するための図である。
【００１５】
建物は、図１〜図３に示されるように、建物本体２と、建物本体２の力を地面に伝える基礎（布基礎）１１と、を備えている。基礎１１は、コンクリート製の基礎であり、外周基礎１３と中通り基礎１７とを備えている。外周基礎１３は、建物（建物本体２）の外周に沿うように設けられている。中通り基礎（内側基礎）１７は、外周基礎１３の内側を区画するように設けられている。中通り基礎１７の端部は、外周基礎１３に接続されている。基礎１１は、その内部に鉄筋（不図示）が配置されている。
【００１６】
外周基礎１３の内側、すなわち基礎１１（外周基礎１３及び中通り基礎１７）で区画化された内側領域Ａ２には、埋戻し土などによる地盤３が形成されている。地盤３の上面には、防湿シート５が敷設されている。防湿シート５上には、押さえコンクリート７が打設されている。すなわち、防湿シート５は、押さえコンクリート７に覆われている。防湿シート５は、防蟻性を有している。
【００１７】
外周基礎１３は、フーチング部１４と立ち上がり部１５とを有し、中通り基礎１７は、フーチング部１８と立ち上がり部１９とを有している。フーチング部１４，１８は、地盤３内に埋設されている。立ち上がり部１５，１９は、対応するフーチング部１４，１８から立ち上がっている。すなわち、立ち上がり部１５，１９は、下端部がフーチング部１４，１８に接続されており、フーチング部１４，１８から上方に延びている。立ち上がり部１５，１９の上端面１５ａ，１９ａは、平面とされている。立ち上がり部１５は、互いに対向する内側面１５ｂと外側面１５ｃとを有している。立ち上がり部１９は、互いに対向する側面１９ｂを有している。
【００１８】
立ち上がり部１５，１９は、フーチング部１４，１８よりも幅狭であり、外周基礎１３及び中通り基礎１７の横断面形状は、逆Ｔ字状を呈している。フーチング部１４，１８が設置される部位には、割栗石又は捨てコンなどが予め敷設されている。立ち上がり部１９の高さは、立ち上がり部１５の高さと同じでもよく、また、立ち上がり部１５の高さより低くてもよい。
【００１９】
建物本体２は、床Ｆと外壁Ｗとを備えている。床Ｆは、図３及び図４に示されるように、基礎１１の上端レベル、すなわち、立ち上がり部１５，１９の上端面１５ａ，１９ａを含む水平面に沿って設置されている。床Ｆは、基礎１１の上に架設されたＡＬＣパネル（床パネル）、合板、及び木質系の床仕上げ材などによって構成されている。外壁Ｗは、床Ｆの外縁に沿って設置されている。外壁Ｗは、ＡＬＣパネルなどによって構成されている。
【００２０】
基礎１１の内側には、複数の断熱材２１，２３，２５が配置されている。各断熱材２１，２３，２５は、板状（パネル状）であり、板状の樹脂発泡体を含んでいる。各断熱材２１，２３，２５は、平面視で矩形状を呈している。すなわち、各断熱材２１，２３，２５は、互いに対向する一対の小口部を２組、合計で４つの小口部を有している。樹脂発泡体としては、ウレタンフォーム、フェノールフォーム、ポリスチレンフォーム、又はポリエチレンフォームなどが挙げられる。各断熱材２１，２３，２５（樹脂発泡体）は、防蟻性を有している。防蟻性を有する断熱材２１，２３，２５は、その製造時に、防蟻剤を添加することにより得ることができる。本実施形態では、断熱材２３の厚みは、断熱材２１，２５の厚みよりも薄い。断熱材２１の厚みは、断熱材２５の厚みと同等である。
【００２１】
断熱材２１は、図３にも示されるように、外周基礎１３の立ち上がり部１５の内側面１５ｂに沿うように設けられている。すなわち、断熱材２１は、外周基礎１３に沿い且つ外周基礎１３の内側全周にわたって配置されている。断熱材２１は、外周基礎１３（立ち上がり部１５）と中通り基礎１７（立ち上がり部１９）とが交わる箇所において、立ち上がり部１９の側面１９ｂに対向している。本実施形態では、断熱材２１は、外周基礎１３（立ち上がり部１５）と中通り基礎１７（立ち上がり部１９）とが交わる箇所において、立ち上がり部１９の側面１９ｂに当接している。断熱材２１は、立ち上がり部１５の高さ方向での長さが立ち上がり部１５の高さ寸法よりも短い。
【００２２】
断熱材２１は、下方部分２１ｄが建物本体２内側の地盤３内に位置し且つ地盤３から立ち上がるように設けられている。断熱材２１は、地盤３の上方に打設される押さえコンクリート７と立ち上がり部１５との間に位置している。断熱材２１は、立ち上がり部１５の内側面１５ｂに接着されることにより、内側面１５ｂに設けられている。断熱材２１は、全面が内側面１５ｂに接着されている必要はなく、一部が接着されていればよい。
【００２３】
断熱材２１は、高さ調節部材（不図示）により、断熱材２１の上端面２１ａの高さ位置と立ち上がり部１５の上端面１５ａの高さ位置とが一致し且つ断熱材２１の下端面２１ｂとフーチング部１４とが離間している状態とされている。すなわち、断熱材２１の下端面２１ｂとフーチング部１４の上面とは対向しており、下端面２１ｂとフーチング部１４の上面との間には、隙間が形成されている。
【００２４】
外周基礎１３の立ち上がり部１５と断熱材２１とは部分的には密着できても、型枠の平面度や、型枠同士の隙間によるバリの影響を受け、微視的には僅かな隙間Ｓａが在る。断熱材２１には防蟻性が付与されているので、断熱材２１を介しての白アリの侵入は阻止できるが、立ち上がり部１５と断熱材２１との隙間Ｓａにも配慮しておくことが重要である。このため、立ち上がり部１５の上端面１５ａと断熱材２１の上端面２１ａとの間には、隙間Ｓａを塞ぐように防蟻性を付与した防蟻シートＴ１が貼着されている。断熱材２１を固定する際には、この防蟻シートＴ１によって位置決め等を行ってもよい。
【００２５】
断熱材２３は、図４にも示されるように、中通り基礎１７の端部から所定の長さ範囲にわたって立ち上がり部１９の側面１９ｂに沿い且つ断熱材２１に連続するように設けられている。すなわち、断熱材２３は、断熱材２１に対向し且つ外周基礎１３側から所定長さだけ中通り基礎１７に沿うように配置されている。断熱材２３は、立ち上がり部１９の両側面１９ｂに設けられている。断熱材２３は、立ち上がり部１９の高さ方向での長さが立ち上がり部１９の高さ寸法よりも短い。
【００２６】
断熱材２３は、下方部分２３ｆが建物本体２内側の地盤３内に位置し且つ地盤３から立ち上がるように設けられている。断熱材２３は、地盤３の上方に打設される押さえコンクリート７と立ち上がり部１９との間に位置している。断熱材２３は、立ち上がり部１９の側面１９ｂに接着されることにより、側面１９ｂに設けられている。断熱材２３も、全面が側面１９ｂに接着されている必要はなく、一部が接着されていればよい。
【００２７】
断熱材２３は、高さ調節部材（不図示）により、断熱材２３の上端面２３ａの高さ位置と立ち上がり部１９の上端面１９ａの高さ位置とが一致し且つ断熱材２３の下端面２３ｂとフーチング部１８とが離間している状態とされている。すなわち、断熱材２３の下端面２３ｂとフーチング部１８の上面とは対向しており、下端面２３ｂとフーチング部１８の上面との間には、隙間が形成されている。
【００２８】
中通り基礎１７の立ち上がり部１９と断熱材２３とは部分的には密着できても、型枠の平面度や、型枠同士の隙間によるバリの影響を受け、微視的には僅かな隙間Ｓｂが在る。断熱材２３には防蟻性が付与されているので、断熱材２３を介しての白アリの侵入は阻止できるが、立ち上がり部１９と断熱材２２との隙間Ｓｂにも配慮しておくことが重要である。このため、立ち上がり部１９の上端面１９ａと断熱材２３の上端面２３ａとの間に、隙間Ｓｂを塞ぐように防蟻性を付与した防蟻シートＴ２が貼着されている。断熱材２３を固定する際には、この防蟻シートＴ２によって位置決め等を行ってもよい。
【００２９】
断熱材２５は、押さえコンクリート７の下方に設けられており、断熱材２１，２３における地盤３から立ち上がるように延びる部分に対向している。具体的には、断熱材２５は、一つの小口部２５ａが断熱材２１に対向すると共に小口部２５ａに対向する小口部２５ｂが押さえコンクリート７の途中部分に位置するように設けられている。すなわち、外周基礎１３の内側の地盤３は、断熱材２５に覆われている領域と、断熱材２５に覆われていない領域（断熱材２５から露出する領域）と、を有している。したがって、押さえコンクリート７は、断熱材２５の上方に位置する領域と、断熱材２５から露出する地盤３の上方に位置する領域と、を有することとなる。断熱材２５の上面と断熱材２５から露出する領域とは、略面一とされている。本実施形態では、断熱材２５は、断熱材２１，２３における地盤３から立ち上がるように延びる部分に当接している。
【００３０】
防湿シート５は、略面一とされた断熱材２５と地盤３（断熱材２５から露出する領域）とを覆うように敷設されている。防湿シート５は、断熱材２５と地盤３（断熱材２５から露出する領域）とを覆うように位置する第一シート領域５ａと、断熱材２１，２３に沿って延びる第二シート領域５ｂと、を有している。立ち上がり部１５，１９の高さ方向での第二シート領域５ｂの長さは、押さえコンクリート７の厚みよりも短い。したがって、押さえコンクリート７が、断熱材２１，２３に接することとなる。
【００３１】
外周基礎１３には、図１及び図２に示すように、立ち上がり部１５の上端部である上端面１５ａの一部に凹溝１５ｄが形成されている。凹溝１５ｄは外壁Ｗや床パネルによって上方を塞がれ、その結果、外周基礎１３の内側領域Ａ２と外側領域Ａ１とを連通する貫通孔である換気口Ｈが形成される。換気口Ｈには、立ち上がり部１５の外側領域Ａ１から換気装置（不図示）が着脱可能に取り付けられている。なお、立ち上がり部１５の内側面１５ｂに設けられる断熱材２１にも、換気口Ｈを避けるために、換気口Ｈに対応した形状の凹溝（凹部）２１ｆが形成されている。防蟻シートＴ１は、換気口Ｈの内周面Ｈａにも貼着されている。つまり、立ち上がり部１５の凹溝１５ｄと断熱材２１側の凹溝２１ｆとの間の隙間Ｓａを塞ぐように、防蟻シートＴ１が貼着されている。なお、中通り基礎１７には、各区画を連通するように複数個所に凹溝１９ｃが形成されている。
【００３２】
次に、防蟻シートＴ１，Ｔ２について、図５を用いて詳細に説明する。図５は、図１の防蟻シートの周辺構造を説明するための平面図である。防蟻シートＴ１，Ｔ２は、たとえば粘着力を有するテープであり、気密性、防湿性、及び防蟻性を有している。
【００３３】
防蟻シートＴ１は、図５に示されるように、立ち上がり部１５の上端面１５ａと断熱材２１の上端面２１ａとに亘って貼着され、立ち上がり部１５の上端面１５ａと断熱材２１の上端面２１ａとの隙間Ｓａを塞いでいる。防蟻シートＴ１は、立ち上がり部１５の上端面１５ａの少なくとも一部と、断熱材２１の上端面２１ａの少なくとも一部と、をそれぞれ覆っている。すなわち、立ち上がり部１５の上端面１５ａ及び断熱材２１の上端面２１ａは、それぞれの面全体が防蟻シートＴ１に覆われていなくてもよい。立ち上がり部１５の上端面１５ａの高さ位置と断熱材２１の上端面２１ａの高さ位置とが一致しているので、防蟻シートＴ１は、上端面１５ａ及び上端面２１ａに密着して略平坦に貼り着けられている。
【００３４】
防蟻シートＴ１は、隙間Ｓａに沿って延在している。ここで、断熱材２１は立ち上がり部１９の側面と当接するが、微視的には断熱材２１と立ち上がり部１９の側面との間にも隙間Ｓｃが在る。この隙間Ｓｃにも配慮しておくことが重要である。このため、防蟻シートＴ１は、断熱材２１が立ち上がり部１９の側面１９ｂと当接する位置を超えて延在し、隙間Ｓｃの一部を塞いでいる。
【００３５】
防蟻シートＴ２は、立ち上がり部１９と断熱材２３とに亘って貼着され、立ち上がり部１９の上端面１９ａと断熱材２３の上端面２３ａとの隙間Ｓｂを塞いでいる。防蟻シートＴ２は、立ち上がり部１９の上端面１９ａの少なくとも一部と、断熱材２３の上端面２３ａの少なくとも一部と、をそれぞれ覆っている。すなわち、立ち上がり部１９の上端面１９ａ及び断熱材２３の上端面２３ａは、それぞれの面全体が防蟻シートＴ２に覆われていなくてもよい。立ち上がり部１９の上端面１９ａの高さ位置と断熱材２３の上端面２３ａの高さ位置とが一致しているので、防蟻シートＴ２は、上端面１９ａ及び上端面２３ａに密着して略平坦に貼り付けられている。
【００３６】
防蟻シートＴ２は、隙間Ｓｂに沿って延在している。防蟻シートＴ２は、断熱材２１が立ち上がり部１９の側面１９ｂと当接する位置を超えて延在し、隙間Ｓｃを塞いでいる。防蟻シートＴ１の端部Ｔ１ｅと、防蟻シートＴ２の端部Ｔ２ｅとは、互いに重なり合うように位置し、隙間Ｓｃを確実に塞いでいる。
【００３７】
なお、防蟻シートＴ１，Ｔ２は、それ自体が粘着力を有していなくてもよい。この場合、たとえば熱溶着などによって貼着される。また、釘、ビス、若しくはステープル等の止着部材、又は接着剤によって取り付けられてもよい。防蟻シートＴ１，Ｔ２を釘等の止着部材で取り付ける場合には、必要に応じて止着部材に白アリ忌避効果を付与してもよい。
【００３８】
また、防蟻シートＴ１，Ｔ２として使用されるシート材は、特に限定されず、蟻が容易には通過できないものであればよい。
【００３９】
次に、図６を参照して、断熱基礎構造１の作用及び効果について、説明する。図６は、本実施形態に係る断熱基礎構造１の作用及び効果を説明する図である。図６の（ａ）は、従来の断熱基礎構造１００を示し、図６の（ｂ）は、本実施形態に係る断熱基礎構造１を示している。
【００４０】
従来の断熱基礎構造１００では、外周基礎１３の立ち上がり部１６の内側面１５ｂに設けられた断熱材４１に防蟻性が付与されていなかった。この場合、断熱材４１の内部に蟻道Ｌ１が複数形成されるおそれがあった。また、立ち上がり部１５と断熱材４１との間における蟻道Ｌ２が形成されるおそれがあった。よって、これらの蟻道Ｌ１及びＬ２を通って白アリが侵入してくるおそれがあり、これらの蟻道Ｌ１及びＬ２を全て塞ぐためには、防蟻シート４２を広い範囲で貼着しなければならなかった。この場合、防蟻シート４２を貼着する手間が増えるばかりでなく、防蟻シート４２が他の部材との関係で邪魔になることがあり、施工性の低下を招いていた。
【００４１】
これに対し、本実施形態に係る断熱基礎構造１では、外周基礎１３の立ち上がり部１５の内側面１５ｂに設けられた断熱材２１に防蟻性が付与されている。このため、断熱材２１の内部を通って白アリが侵入する可能性を著しく低減できる。つまり、白アリによって形成される可能性のある蟻道は、外周基礎１３の立ち上がり部１５と断熱材２１との間の隙間Ｓａに絞られる。更に、この蟻道となり得る隙間Ｓａを防蟻シートＴ１で塞ぐことにより、蟻道を通って建物の躯体側への白アリの侵入経路を確実に遮断することができる。従来に比して、断熱材２１の狭い範囲で防蟻シートＴ１で覆えばよいので、貼着の手間が減り、防蟻シートＴ１の存在が他の部材との関係で邪魔になることもない。すなわち、施工性を向上することができる。以上より、本実施形態に係る断熱基礎構造１によれば、施工性の低下を招くことなく、断熱材２１から建物本体２の躯体側へ白アリが侵入する可能性を、少なくとも断熱材が取り付けられていない場合と同じ程度にまで低減できる。
【００４２】
なお、中通り基礎１７の立ち上がり部１９の側面１９ｂに断熱材２３を配置した場合に関しても、上記同様の作用効果を奏する。すなわち、断熱材２３に防蟻性が付与されているので、断熱材２３の内部を通って白アリが侵入する可能性を著しく低減できる。つまり、白アリによって形成される可能性のある蟻道は、中通り基礎１７の立ち上がり部１９と断熱材２３との間の隙間Ｓｂに絞られる。更に、この蟻道を防蟻シートＴ２で塞ぐことにより、蟻道を通って建物本体２の躯体側への白アリの侵入経路を確実に遮断することができる。
【００４３】
また、本実施形態に係る断熱基礎構造１によれば、立ち上がり部１５の上端面１５ａに換気口Ｈが凹設されており、断熱材２１の換気口と対応する位置に凹溝２１ｆが形成され、凹溝２１ｆに沿って防蟻シートＴ１が貼着されている。よって、換気口Ｈと対応する位置に沿って凹状に防蟻シートＴ１が貼着されているので、凹溝２１ｆから建物本体２の躯体側へ白アリが侵入することを防止することができる。
【００４４】
以上、本発明の好適な実施形態について説明したが、本発明は上記実施形態に限定されるものではなく、各請求項に記載した要旨を変更しない範囲で変形し、又は他のものに適用したものであってもよい。
【符号の説明】
【００４５】
１…断熱基礎構造、１３…外周基礎、１５…立ち上がり部、１５ａ…上端面、１５ｂ…内側面、１７…中通り基礎、１９…立ち上がり部、１９ａ…上端面、１９ｂ…両側面（内側面）、２１，２３…断熱材、２１ａ，２３ａ…上端面、２１ｆ…凹溝、Ｓａ，Ｓｂ，Ｓｃ…隙間、Ｔ１，Ｔ２…防蟻シート、Ｈ…換気口。
【図１】
2015083758.tif 000003
【図２】
2015083758.tif 000004
【図３】
2015083758.tif 000005
【図４】
2015083758.tif 000006
【図５】
2015083758.tif 000007
【図６】
2015083758.tif 000008